(57)【要約】【課題】基本的骨格を変えずに、簡便な手段によって転倒し難い幼児用椅子を提供する。【解決手段】  幼児用椅子は重心位置が高く、脚幅も狭いので、転倒し易い。本考案は、脚１の下端に前後方向へ平行に板状の脚台３を備えた幼児用椅子に取り付けられる転倒防止具２０であり、左右方向が脚台３の板幅より大きな寸法のベース２１上に、脚台３の裏面に設けた縦穴１４へ嵌合する凸材２４と、脚台３を左右から挟む挟持壁２２とを立設したものである。挟持壁２２は端側を継壁２５で接続してコ字状として、脚台３の前端と後端に設けるのが望ましい。また、挟持壁２２の外側にはリブを設けて補強するとよい。さらに、ベース２１の裏面に左右方向の溝２６を複数設けてもよい。【選択図】 図５
0003113544.tif 000002
【実用新案登録請求の範囲】
【請求項１】
脚の下端に前後方向へ平行に板状の脚台を備えた幼児用椅子の転倒防止具であって、左右方向が該脚台の板幅より大きな寸法のベース上に、該脚台の裏面に設けた縦穴へ嵌合する凸材と、該脚台を左右から挟む挟持壁とを立設したことを特徴とする幼児用椅子の転倒防止具。
【請求項２】
前記挟持壁は端側を継壁で接続してコ字状として、前記脚台の前端と後端に設けることを特徴とする請求項１記載の幼児用椅子の転倒防止具。
【請求項３】
外側へ向かって漸次低くなる形状のリブを前記挟持壁の外側の前記ベース上に設けたことを特徴とする請求項１記載の幼児用椅子の転倒防止具。
【請求項４】
前記ベースの裏面に左右方向の溝を複数設けたことを特徴とする請求項１記載の幼児用椅子の転倒防止具。
【考案の詳細な説明】
【技術分野】
【０００１】
本考案は幼児用椅子の転倒防止に関するものである。
【背景技術】
【０００２】
幼児用の椅子は種々のものが提案されているが、脚の下端に前後方向へ平行に板状の脚台を固設し安定性を良くしたものが知られている（例えば、特許文献１参照。）。
この幼児用椅子は、座板と脚載板の高さを幼児の成長にしたがって変更できるので、長期間使用できる。
【０００３】
【特許文献１】登録実用新案３０９０９７０号  公報
【考案の開示】
【考案が解決しようとする課題】
【０００４】
上記の特許文献１の幼児用椅子は、前後方向へ平行な平面接地する脚台を備えているので、前後方向に対しては極めて安定性が高く、転倒することはないが、横方向については必ずしも安定性が良いとは言えない。幼児用椅子は重心位置が高く、前後方向に比べて幅方向が狭いからである。これを解決する手段としては脚幅を拡げることが考えられるが、全体として大きなものとなり、かえって使用しずらいものとなってしまう。
【０００５】
そこで、本考案は、基本的骨格を変えずに、簡便な手段によって転倒し難い幼児用椅子を提供することを目的としている。
【課題を解決するための手段】
【０００６】
本考案の幼児用椅子の転倒防止具は、上記の目的を達成するため次の手段を採った。すなわち、脚の下端に前後方向へ平行に板状の脚台を備えた幼児用椅子の転倒防止具であって、左右方向が該脚台の板幅より大きな寸法のベース上に、該脚台の裏面に設けた縦穴へ嵌合する凸材と、該脚台を左右から挟む挟持壁とを立設したことを特徴としている。
【０００７】
この転倒防止具は、脚の下端に前後方向へ平行に板状の脚台を備えた幼児用椅子に適用される。なお、脚台は、接地した脚の下端の後部に固設したもののほか、脚の下端を脚台の上端へ固設するようにしたものでもよい。また、脚の形状、足載台やテーブルの有無、および座板の高さが変更可能といった点も問わない。
【０００８】
転倒防止具を取り付ける位置は、脚台の裏面の前後４カ所であるが、中間にも設けてもよい。転倒防止具の材質は、硬質の合成樹脂が望ましい。
ベースは、円板、矩形板、楕円板など平板状のもので、脚台の幅（板厚）より大きな寸法のものである。なお、脚台からの張り出し量は大きいほど安定性があるが、あまり大きくすると邪魔になるので片側で１０〜２５ｍｍとするのがよい。
【０００９】
凸材は１個でもよいが、２個設けるとガタツキがなく、安定性がよい。挟持壁は、脚台を左右から挟むように立設されたもので、高さは特に限定しないが、凸材より若干低くすると脚台への組み付けがやり易い。
【００１０】
転倒防止具は、通常の状態では、椅子の自重と幼児の体重の垂直荷重を受けるだけであるが、幼児用椅子が横へ傾くときには、大きな曲げ荷重がかかるので、一定以上の厚みや太さが必要である。構造的には、請求項２に示すように、挟持壁の端部側を継壁で接続してコ字状として脚台の前端と後端に取り付けたり、請求項３に示すように、外側へ向かって漸次低くなる形状のリブを挟持壁の外側のベース上に設けると極めて強化され、また、軽量化できる。なお、リブの外側へ向かって漸次低くなる形状というのは三角状が一般的であるが、曲面でもよい。
転倒防止具の裏面は、特に限定しないが、請求項４に示すように、左右方向の溝を複数設けるとよい。
【考案の効果】
【００１１】
上記のように本考案の幼児用椅子の転倒防止具は、左右方向が脚台の板幅より大きな寸法のベース上に、脚台の裏面に設けた縦穴へ嵌合する凸材と、脚台を左右から挟む挟持壁とを立設したので、幼児が左右方向へ乗出したりしても転倒を防止できる。
【００１２】
また、請求項２に記載のように、挟持壁は端側を継壁で接続してコ字状として、脚台の前端と後端に設ければ、挟持壁の強度が高くなるので薄くでき、軽量化できるとともに、デザイン的に優れたものとなる。
また、請求項３に記載のように、外側へ向かって漸次低くなる形状のリブを前記挟持壁の外側の前記ベース上に設ければ、挟持壁の厚さを薄くでき軽量化がはかれる。
さらに、請求項４に記載のように、転倒防止具の裏面に左右方向の溝を複数設ければ、左右方向の剛性を損なうことなく滑り止め効果を持たせることができ、また、軽量化できる。
【考案を実施するための最良の形態】
【００１３】
以下に、本考案の幼児用椅子の転倒防止具の実施の形態について、図１〜図５に基づいて説明する。
この幼児用椅子は木製で、図１に示すように、両側に対向して斜め上方へ立設した脚１と、その下端に固設され後方へ伸びる脚台３と、両脚台３を連結する連結材１１と、脚１の上端を連結する背もたれ板４と、両脚１間に配置した座板６および足載板７とで骨格が構成されている。そして、座板６の上方にはテーブル５とガード９が設けられている。なお、２は、脚１を後方から支持するステーで、１２は脚１の下部同士を連結する横架バーである。
【００１４】
脚１は、一定の幅を有する板状であり、向き合っている内側側面には、座板６および足載板５を取り付けるための挿嵌溝８が左右対称に複数個形成され、子供の成長によって高さ位置を変更できるようにしている。
脚台３は、脚１と同じ板厚（ここでは２１ｍｍとしている）で、一定の高さ（４０〜５０ｍｍ）で脚１の下端の後部に固設され、平行に接地している。
【００１５】
転倒防止具２０は、合成樹脂製で一体成形されたものであり、図１に示すように、脚１の前端と脚台３の後端の裏面の４カ所に取り付けられている。
転倒防止具２０の詳細は、図２に示すように、厚さ７ｍｍで径５４ｍｍの円板状のベース２１上に、径１０ｍｍで高さ１２ｍｍの円柱状の凸材２４が中央部に前後方向に２個立設され、その左右に高さ１０ｍｍ、厚さ２．５ｍｍの挟持壁２２が平行に設けられている。なお、挟持壁２２の間隔は、脚台３の厚さ（２１ｍｍ）である。
【００１６】
そして、挟持壁２２の一方の端部には継壁２５が設けられ、全体としてコ字状の壁を形成している。なお、継壁２５の前部はベース２１の周辺と同一の円弧としており、デザインとしても優れたものとしている。また、挟持壁２２の外側には厚さ２．５ｍｍの三角形状のリブ２３が複数個一体に設けられている。なお、リブ２３の底面はベース２１と一体となっている。さらに、裏面には、図４（ａ）に示すように、幅３ｍｍの溝２６が左右方向（リブ２３の方向と同じ）に複数個設けられている。
【００１７】
一方、脚１の先端裏面および脚台３の後端裏面（図４（ｂ）参照）には、転倒防止具２０の凸材２４が嵌挿する縦穴１４が２個一対で夫々設けられている。
なお、転倒防止具２０の取り付けは、図４のように幼児用椅子を裏返さなくても取り付けようとする脚台３の前端または後端を浮かせるだけでできる。図５は脚１の下端に転倒防止具２０を取り付けた状態を示す拡大図であり、脚１の下端の前端には継壁２２が位置し、横方向はもとより、縦の方向もさらに安定度が増加する。
なお、脚１から左右側への突出量Ｌ（図３参照）は１６ｍｍとしており、ほとんど邪魔にはならない。また、挟持壁２２は薄い壁（２．５ｍｍ）でありながら、十分な強度を有する。
【００１８】
本考案の実施の形態は、上記のように構成されているので、幼児が椅子上で横方向へ乗り出したとしても、転倒防止具２０が転倒を防止する。そして、床面とは合成樹脂製の転倒防止具２０の裏面のみが接地するので、床面が保護され、しかも、デザイン的にも優れたものとなっている。
【００１９】
なお、上記の実施の形態では、各構成要素を具体的な寸法を示して説明したが、これは、本考案の理解を容易にするために記載したものであって、本考案の技術的範囲がこの寸法に限定されるものではない。
【図面の簡単な説明】
【００２０】
【図１】本考案の実施の形態の転倒防止具を備えた幼児用椅子の斜視図である。
【図２】同  転倒防止具の斜視図である。
【図３】同  図２の視Ａ図である。
【図４】同  （ａ）は、転倒防止具を裏面から見た斜視図であり、（ｂ）は、脚台３を裏面から見た斜視図である。
【図５】同  転倒防止具を取り付けた状態の拡大斜視図である。
【符号の説明】
【００２１】
１  脚
２  ステー
３  脚台
４  背もたれ
５  テーブル
６  座板
７  足載板
８  挿嵌溝
９  ガード
１１  連結材
１２  横架バー
１４  縦穴
２０  転倒防止具
２１  ベース
２２  挟持壁
２３  リブ
２４  凸材
２５  継壁
２６  溝
【図１】
0003113544.tif 000003
【図２】
0003113544.tif 000004
【図３】
0003113544.tif 000005
【図４】
0003113544.tif 000006
【図５】
0003113544.tif 000007